(57)【要約】【課題】通常時及びヘルメット着用時の両方において良好な着心地を提供でき、しかもフードを紛失することのない雨合羽を提供する。【解決手段】雨合羽１０は、上着１１と、上着１１の襟元に着脱可能に取り付けられたフード１２とを備えている。上着１１の襟元にはフード１２を取り付けるためのホックボタン１６が設けられている。フード１２は、フード本体１２ａとマスク部１２ｂとで構成されており、フード１２の裾部１２ｃにはその裾周りに沿って所定の間隔でホックボタン１８（１８a及び１８ｂ）が設けられている。フード１２側の上段のホックボタン１８ａを使用してフード１２を取り付ける場合には、ヘルメットを着用していない通常の使用状態となる。フード１２側の下段のホックボタン１８ｂを使用してフード１２を取り付ける場合には、ヘルメット着用時の使用状態となる。【選択図】図２
2007138330.tif 000002
【特許請求の範囲】
【請求項１】
襟部を有する上着と、前記襟部に着脱可能に取り付けられるフードとを備え、前記上着又は前記フードのいずれか一方に前記フードの高さ調整機構を備えている雨合羽。
【請求項２】
前記フードの高さ調整機構は、多段に構成された留め具である請求項１に記載の雨合羽。
【請求項３】
前記フードの高さ調整機構は、上下段２段で構成されている請求項２に記載の雨合羽。
【請求項４】
前記留め具は、前記フードの裾周りに沿って所定の間隔で設けられたボタン配列である請求項２又は３のいずれか一項に記載の雨合羽。
【請求項５】
前記フードは、当該フードを前記上着に取り付けたとき肩に当たる部分に切れ込みを備えている請求項１乃至４のいずれか一項に記載の雨合羽。
【請求項６】
前記上着側の前記ボタン配列が上下２段で構成されており、前記上着側のボタン配列と嵌合する前記フード側の一段のボタン配列が前記フードの裾寄りに設けられている請求項４に記載の雨合羽。
【発明の詳細な説明】
【技術分野】
【０００１】
本発明は、雨合羽に関し、特に、ヘルメットを被りながらでもフードを被ることが可能な雨合羽に関するものである。
【背景技術】
【０００２】
雨天時において、建設現場や道路工事の作業員などは、両手が使えて自由に動けるように雨合羽を着用している。その際、作業員にはヘルメットの着用が義務づけられている場合が多いため、ヘルメットの上から雨合羽のフードを被らなければならないことがある。一般的な雨合羽の場合、ヘルメットを被りながらフードを被るとフードが突っ張ってしまうため、雨合羽全体の着心地が悪くなり、作業性が低下するという問題がある。
【０００３】
この問題を解決するため、改良された種々の雨合羽が提供されている。たとえば、ヘルメット着用時に合わせた大きめのフードを有する雨合羽が提供されている。しかし、これではヘルメットを被っていない通常時の着用において余裕があり過ぎ、やはり着心地が悪いという欠点がある。そこで、通常の大きさのフードと、それよりも少し大き目のフードとを交換可能にすることにより、通常時とヘルメット着用時の両方で良好な着心地を提供する雨合羽も知られている。
【非特許文献１】株式会社カジメイク、“アーマーキングジャケット＃１０００”、[online]、[平成１７年１１月１４日検索]、インターネット＜URL：http://www.kajimeiku.com/product/syohin_page/%231000/1000.html＞
【発明の開示】
【発明が解決しようとする課題】
【０００４】
しかしながら、通常用フードとヘルメット用フードとを交換可能な従来の雨合羽では、２種類のフードが存在するため、これらを常に携帯していなければならず不便が多かった。また、一方のフードを使用している合間に他方のフードを紛失しやすいという欠点もある。
【０００５】
したがって、本発明の目的は、２種類のフードを携帯することなく、通常時及びヘルメット着用時の両方において良好な着心地を提供できる雨合羽を提供することにある。
【課題を解決するための手段】
【０００６】
上記課題を解決するため、本発明の雨合羽は、襟部を有する上着と、前記襟部に着脱可能に取り付けられるフードとを備え、前記上着又は前記フードのいずれか一方に前記フードの高さ調整機構を備えている。
【０００７】
本発明において、前記フードの高さ調整機構は、多段に構成された留め具であることが好ましい。これによれば、各段の留め具で固定することで、フードを所望の高さに設定することができる。
【０００８】
本発明において、前記フードの高さ調整機構は、上下２段で構成されていることが好ましい。これによれば、通常時及びヘルメット着用時の両方において良好な着心地を提供することができる。
【０００９】
本発明において、前記留め具は、前記フードの裾周りに沿って所定の間隔で設けられたボタン配列であることが好ましい。これによれば、簡易な構成でフードを固定することができる。
【００１０】
本発明において、前記フードは、当該フードを前記上着に取り付けたとき肩に当たる部分に切れ込みを備えていることが好ましい。これによれば、フードの裾部が肩の部分に張り付いて突っ張ってしまい、動きにくくなる事態を解消することができる。
【００１１】
本発明においては、前記高さ調整機構が上着側に設けられている場合において、前記上着側のボタン配列と嵌合するフード側のボタン配列は、当該フードの裾寄りに設けられていることが好ましい。つまり、前記上着側の前記ボタン配列が上下２段で構成されており、前記上着側のボタン配列と嵌合する前記フード側の一段のボタン配列が前記フードの裾寄りに設けられていることが好ましい。
【発明の効果】
【００１２】
本発明によれば、２種類のフードを携帯することなく、通常時及びヘルメット着用時の両方において良好な着心地を提供できる雨合羽を提供することができる。
【発明を実施するための最良の形態】
【００１３】
以下、添付図面を参照しながら、本発明の好ましい実施形態について詳細に説明する。
【００１４】
図１は、本発明の第１の実施形態に係る雨合羽の全体構成を概略的に示す正面図である。
【００１５】
図１に示すように、この雨合羽１０は、上着１１と、上着１１の襟元に着脱可能に取り付けられたフード１２とを備えている。上着１１及びフード１２の素材としては、ポリエステル、塩化ビニール、ナイロンなどが用いられ、必要に応じて生地の裏面に防水コーティングが施される。着心地をさらによくするため、裏地にメッシュ生地を重ねてもよい。上着１１の基本的な構成は雨合羽として一般的なものであり、本実施形態の上着１１はセンターファスナー１３を有している。フード１２は、着用者の頭部全体を覆いつつ、着用者の顔を露出させる開口部１４を有し、開口部１４の上縁部には着用者の視界を妨げないように透明な鍔部１５を有している。
【００１６】
図２は、上着１１の襟部の拡大図であって、フード１２を上着１１から取り外した状態を示している。
【００１７】
図２に示すように、上着１１の襟部１１ａはある程度の高さを有し、その表側にはフード１２を取り付けるためのホックボタン１６が設けられている。本実施形態においては、首周りに沿って４つのホックボタン１６が所定の間隔で設けられているが、ホックボタン１６の数はこれに限定されない。ホックボタン１６としてはプラスチック製のものが好ましいが、金属製のものであってもよい。
【００１８】
一方、フード１２は、フード本体１２ａとマスク部１２ｂとで構成されている。フード本体１２ａは、雨合羽の着用者がフード１２を被ったときに着用者の頭部及び首周りを覆うキャップ部分である。一方、マスク部１２ｂは、フード１２を被ったときに着用者の口元を覆う部分である。マスク部１２ｂの先端部には面ファスナー（マジックテープ（登録商標））１７が設けられており、口元を閉じることができるようになっている。
【００１９】
フード１２の裾部１２ｃの裏面には、その裾周りに沿って所定の間隔でホックボタン１８（１８a及び１８ｂ）が設けられている。本実施形態のホックボタン１８は、上段の４つのホックボタン１８ａと、下段の４つのホックボタン１８ｂとで構成されている。これらのホックボタン１８の位置は、上着１１側に取り付けられた４つのホックボタン１６の位置に対応している。なお、ホックボタン１６及び１８のいずれか一方が雄ボタン、他方が雌ボタンとなるが、上着１１側とフード１２側のどちらに雄ボタン又は雌ボタンのいずれを使ってもよく、上着１１側に雄ボタンを使った場合にはフード１２側に雌ボタンが設けられ、上着１１側に雌ボタンを使った場合にはフード１２側に雄ボタンが設けられる。
【００２０】
フード１２の裾部には切れ込み１９が設けられている。この切れ込み１９は、図示ように配列された下段の４つのホックボタン１８ｂのうち、１つ目と２つ目のホックボタン１８ｂの間と３つ目と４つ目のホックボタン１８ｂの間にそれぞれ設けられている。切れ込み１９が設けられた部分はフード１２を上着１１に取り付けたときにちょうど肩の位置に当たるが、この切れ込み１９があることにより、フード１２の裾部が肩の部分に張り付いて突っ張ってしまい、動きにくくなるという事態を解消することができる。
【００２１】
図３は、通常時におけるフード１２の取り付け状態を説明するための略側面図であって、（ａ）はフードを取り付ける前の状態、（ｂ）はフードを取り付けた状態をそれぞれ示している。また、図４は、ヘルメット着用時におけるフード１２の取り付け状態を示す略側面図であって、（ａ）はフードを取り付ける前の状態、（ｂ）はフードを取り付けた状態をそれぞれ示している。
【００２２】
図３及び図４に示すように、フード１２は、その裾部１２ｃが上着１１の襟部１１ａに重ね合わされ、上段の４つのホックボタン１８ａ、あるいは下段の４つのホックボタン１８ｂを上着１１側の対応するホックボタン１６にはめ込むことで上着１１の襟元に固定される。
【００２３】
ヘルメットを着用しない通常の使用時には、図３（ａ）に示すように、上段のホックボタン１８ａを使用してフード１２を取り付ける。この場合、図３（ｂ）に示すように、フード１２の高さＨ１は相対的に低く設定され、ヘルメットの未着用時に適したフードの高さとなる。なお、ここにいう「フード１２の高さ」は、ホックボタン１８ａの位置からフード１２の頂部までの距離として定義される。したがって、ヘルメットを被らない通常の状態においてフード１２を被る着用者に良好な着心地を与えることができる。さらに、フード１２の裾部１２ｃに切れ込み１９が設けられていることから、フード１２の裾部１２ｃが肩の部分に張り付いて突っ張ってしまい、動きにくくなる事態を解消することができる。
【００２４】
一方、ヘルメット着用時には、図４（ａ）に示すように、下段のホックボタン１８ｂを使用してフード１２を取り付ける。この場合、図４（ｂ）に示すように、フード１２の高さＨ２は相対的に高く設定され、ヘルメットの着用時に適したフードの高さとなる。したがって、ヘルメットを被った状態においてフード１２を被る着用者に良好な着心地を与えることができる。なお、襟部１１ａの高さがフード１２側の上段のボタン１８ａの高さよりも高く設定されていることにより、上段の４つのホックボタン１８ａが着用者の首に直接接触して首を傷付けたりすることを防止することができる。
【００２５】
以上説明したように、本実施形態によれば、フード１２側の上段のホックボタン１８ａを上着１１側のホックボタン１６に取り付けてフード１２の高さを相対的に低く設定することにより、ヘルメットを被らない通常時でも良好な着心地を提供でき、またフード１２側の下段のホックボタン１８ｂを上着１１側のホックボタン１６に取り付けてフード１２の高さを相対的に高く設定することにより、ヘルメット着用時でも良好な着心地を提供することができる。さらに、本実施形態においては１つのフード１２で通常時及びヘルメット着用時の両方に対応するので、２種類のフードを携帯することなく通常時及びヘルメット着用時に対応可能な雨合羽を提供することができる。なお、本実施形態ではフード１２を高さ方向に調整しているだけ、ヘルメットによるフードの横方向へのふくらみには対応していないが、ヘルメットを着用しても横方向へのふくらみはそれほど大きくなく、着心地はそれほど変わらないため、高さ方向の調整だけでヘルメット着用時の着心地を十分に改善できる。
【００２６】
図５は、本発明の第２の実施形態に係る雨合羽の上着の襟部分の構成を示す拡大図であり、フード１２を上着１１から取り外した状態を示している。
【００２７】
図５に示すように、この雨合羽２０は、フード１２側のホックボタン１８が一列だけであり、ホックボタン１８がフード１２の裾寄りに設けられているのに対し、上着１１側の襟部１１ａに上下２段のホックボタン配列１６ａ，１６ｂが設けられている点に特徴を有している。つまり、フード１２の高さ調整機構がフード側ではなく上着側に設けられている。また、本実施形態においては、フード１２の裾部１２ｃに切れ込み１９は設けられていない。その他の構成については第１の実施形態とほぼ同様であることから、同一の構成要素には同一の符号を付して説明を省略する。
【００２８】
以上のような構成を有する本実施形態の雨合羽２０は、第１の実施形態と略同様の効果を得ることができる。つまり、図６（ａ）に示すように、上着１１側の上段のホックボタン１６ａを使用してフード１２を取り付けると、図６（ｂ）に示すように、ヘルメット着用時の使用状態となり、フード１２の高さＨ２は相対的に高く設定される。したがって、ヘルメットを被った状態においてフードを被る着用者に良好な着心地を与えることができる。一方、図７（ａ）に示すように、上着１１側の下段のホックボタン１６ｂを使用してフード１２を取り付けると、図７（ｂ）に示すように、ヘルメットを着用していない通常の使用状態となり、フード１２の高さＨ１は相対的に低く設定される。したがって、ヘルメットを被らない通常の使用状態においてフードを被る着用者に良好な着心地を与えることができる。
【００２９】
さらに、本実施形態によれば、フード１２の高さ調整機構が上着１１側に設けられており、これらと嵌合するフード１２側のホックボタン配列１８がフード１２の裾部１２ｃの裾寄りに設けられていることから、ホックボタン１８を上着側の上段のホックボタン１６ａ又は下段のホックボタン１６ｂに取り付けたときにフード１２の裾部１２ｃが肩の部分に張り付いて動きにくくなるという不具合がなく、フード１２の裾部１２ｃに切れ込み１９を設けることを不要にすることができる。
【００３０】
本発明は、以上の各実施形態に限定されることなく、本発明の趣旨を逸脱しない範囲内で種々の変更を加えることが可能であり、これらも本発明の範囲に包含されるものであることは言うまでもない。
【００３１】
たとえば、上記実施形態においては、一段に設けられるホックボタンが４つである場合について説明したが、ホックボタンの数はこれに限定されるものではない。ただし、少なすぎるとフードを確実に固定することが困難であり、多すぎても固定力にそれほど大差がなくコストアップになるだけであるため、ホックボタンの数は３〜６つが好ましく、上記実施形態のように４つがより好ましい。特にホックボタンが４つである場合には、首の右横及び左横をそれぞれ２点で固定しているため、フードを確実に固定しつつ、首を上下左右に振りやすいという利点がある。
【００３２】
また、上記実施形態においては、ボタン配列を上下２段としたが、ボタン配列の段数はこれに限定されるものではなく、３段以上としてもかまわない。ただし、ヘルメットを着用している場合と着用していない場合の両方において良好な着心地を提供するための最も簡易な構成として、ボタン配列は上下２段であることが特に好ましい。
【００３３】
また、上記実施形態においては、フード１２を上着１１の襟元に取り付けるための留め具としてホックボタンを用いているが、本発明はこれに限定されるものではなく、例えばマグネットボタン等の他のボタンを用いてもよく、さらには面ファスナーといったボタン以外の留め具を用いてもよい。
【００３４】
また、上記実施形態においては、フード１２がマスク部１２ｂを備える場合を例に説明したが、マスク部１２ｂは必須でなく、フード１２がフード本体１２ａのみで構成されていてもよい。
【００３５】
また、上記実施形態においては、上着１１の身丈が腰まである雨合羽を例に説明したが、上着１１の身丈はどのくらいの長さであってもよく、例えば、膝上や膝下であってもよい。さらには、上着がセンターファスナーを有する場合に限らず、ポンチョ式のものであってもかまわない。
【００３６】
さらに、本発明の雨合羽は、建設現場や道路工事の雨合羽としてのみならず、例えばバイク、自転車、カヤック等のスポーツ時の雨合羽としても使用でき、ヘルメットを着用しながら雨天時に活動するあらゆる場面で使用可能である。
【図面の簡単な説明】
【００３７】
【図１】図１は、本発明の第１の実施形態に係る雨合羽の全体的な構成を示す正面図である。
【図２】図２は、上着１１の襟部の拡大図であって、フード１２を上着１１から取り外した状態を示している。
【図３】図３（ａ）及び（ｂ）は、通常時におけるフード１２の取り付け状態を説明するための略側面図であって、図３（ａ）はフードを取り付ける前の状態、図３（ｂ）はフードを取り付けた状態をそれぞれ示している。
【図４】図４（ａ）及び（ｂ）は、ヘルメット着用時におけるフード１２の取り付け状態を説明するための略側面図であって、（ａ）はフードを取り付ける前の状態、（ｂ）はフードを取り付けた状態をそれぞれ示している。
【図５】図５は、本発明の第２の実施形態に係る雨合羽の上着の襟部分の構成を示す拡大図であり、フード１２を上着１１から取り外した状態を示している。
【図６】図６（ａ）及び（ｂ）は、ヘルメット着用時におけるフード１２の取り付け状態を説明するための略側面図であって、（ａ）はフードを取り付ける前の状態、（ｂ）はフードを取り付けた状態をそれぞれ示している。
【図７】図７（ａ）及び（ｂ）は、通常時におけるフード１２の取り付け状態を説明するための略側面図であって、（ａ）はフードを取り付ける前の状態、（ｂ）はフードを取り付けた状態をそれぞれ示している。
【符号の説明】
【００３８】
１０ 雨合羽
１１ 上着
１１ａ 上着の襟部
１２ フード
１２ａ フード本体
１２ｂ フードのマスク部
１２ｃ フードの裾部
１３ センターファスナー
１４ フードの開口部
１５ フードの鍔部
１６ ホックボタン
１６ａ ホックボタン
１６ｂ ホックボタン
１８ ホックボタン
１８ａ ホックボタン
１８ｂ ホックボタン
２０ 雨合羽
【図１】
2007138330.tif 000003
【図２】
2007138330.tif 000004
【図３】
2007138330.tif 000005
【図４】
2007138330.tif 000006
【図５】
2007138330.tif 000007
【図６】
2007138330.tif 000008
【図７】
2007138330.tif 000009